(57)【要約】アクセスネットワーク内の複数のネットワーク機能とアクセス端末との間で通信するためのグローバルセッション状態が維持される。アクセスネットワーク内のネットワーク機能のうちの１つとアクセス端末との間の通信のためのローカルセッション状態が維持される。
2009540698.tif 000002
【特許請求の範囲】
【請求項１】
アクセスネットワークにおける動作のための装置であって、
前記アクセスネットワーク内の複数のネットワーク機能とアクセス端末との間で通信するためのグローバルセッション状態にアクセスするように構成された処理システムを備え、前記処理システムは更に、前記アクセス端末と通信するためのローカルセッション状態を維持するように構成された装置。
【請求項２】
請求項１に記載の装置において、
セッション状態は、前記アクセス端末と通信するための複数の属性を備え、前記属性の各々が値を有する装置。
【請求項３】
請求項２に記載の装置において、
前記処理システムは更に、前記グローバルセッション状態と前記ローカルセッション状態との両方に関する１つ又は複数の属性の前記値を変更するように構成された装置。
【請求項４】
請求項２に記載の装置において、
前記処理システムは更に、前記グローバルセッション状態と前記ローカルセッション状態とのうちの１つのみに関する１つ又は複数の属性の前記値を変更するように構成された装置。
【請求項５】
請求項１に記載の装置において、
前記処理システムは更に、前記アクセス端末との接続をサポートし、前記アクセス端末と通信する場合、前記ローカルセッション状態を前記グローバルセッション状態よりも優先させるように構成された装置。
【請求項６】
請求項１に記載の装置において、
前記処理システムは更に、前記アクセス端末との接続をサポートするように構成され、前記処理システムによって維持される前記ローカルセッション状態は、複数の接続にわたって持続するように構成された装置。
【請求項７】
請求項１に記載の装置において、
前記処理システムは更に、前記アクセス端末との接続をサポートし、前記接続が閉じた場合、前記ローカルセッション状態を削除するように構成された装置。
【請求項８】
請求項１に記載の装置において、
前記処理システムは更に、前記アクセス端末との接続をサポートし、前記アクセス端末がエアインタフェース接続ポイントハンドオフを実行する場合、前記ローカルセッション状態を削除するように構成された装置。
【請求項９】
請求項１に記載の装置において、
前記処理システムは更に、前記アクセス端末との接続をサポートし、前記アクセス端末がネットワーク層ハンドオフを実行する場合、前記ローカルセッション状態を削除するように構成された装置。
【請求項１０】
請求項１に記載の装置において、
前記処理システムは更に、固定期間後に、前記ローカルセッション状態を削除するように構成された装置。
【請求項１１】
請求項１に記載の装置において、
前記処理システムは更に、前記アクセス端末との接続をサポートし、固定期間、前記アクセス端末との接続が無い場合、前記ローカルセッション状態を削除するように構成された装置。
【請求項１２】
請求項１に記載の装置において、
前記処理システムは更に、前記グローバルセッション状態への変更に応答して、前記ローカルセッション状態を削除するように構成された装置。
【請求項１３】
アクセスネットワークにアクセスする装置であって、
前記アクセスネットワーク内の複数のネットワーク機能と通信するためのグローバルセッション状態にアクセスするように構成された処理システムを備え、前記処理システムは更に、前記ネットワーク機能のうちの１つと通信するためのローカルセッション状態を維持するように構成された装置。
【請求項１４】
請求項１３に記載の装置において、
セッション状態は、前記アクセス端末と通信するための複数の属性を備え、前記属性の各々が値を有する装置。
【請求項１５】
請求項１４に記載の装置において、
前記処理システムは更に、前記グローバルセッション状態と前記ローカルセッション状態との両方に関する１つ又は複数の属性の前記値を変更するように構成された装置。
【請求項１６】
請求項１４に記載の装置において、
前記処理システムは更に、前記グローバルセッション状態と前記ローカルセッション状態とのうちの１つのみに関する１つ又は複数の属性の前記値を変更するように構成された装置。
【請求項１７】
請求項１３に記載の装置において、
前記処理システムは更に、前記ネットワーク機能のうちの１つとの接続をサポートし、前記ネットワーク機能のうちの１つと通信する場合、前記ローカルセッション状態を前記グローバルセッション状態よりも優先させるように構成された装置。
【請求項１８】
請求項１３に記載の装置において、
前記処理システムは更に、前記ネットワーク機能のうちの１つとの接続をサポートするように構成され、前記処理システムによって維持される前記ローカルセッション状態は、複数の接続にわたって持続するように構成された装置。
【請求項１９】
請求項１３に記載の装置において、
前記処理システムは更に、前記ネットワーク機能のうちの１つとの接続をサポートし、前記接続が閉じた場合、前記ローカルセッション状態を削除するように構成された装置。
【請求項２０】
請求項１３に記載の装置において、
前記処理システムは更に、前記ネットワーク機能のうちの１つとの接続をサポートし、前記処理システムがエアインタフェース接続ポイントハンドオフを実行する場合、前記ローカルセッション状態を削除するように構成された装置。
【請求項２１】
請求項１３に記載の装置において、
前記処理システムは更に、前記ネットワーク機能のうちの１つとの接続をサポートし、前記処理システムがネットワーク層ハンドオフを実行する場合、前記ローカルセッション状態を削除するように構成された装置。
【請求項２２】
請求項１３に記載の装置において、
前記処理システムは更に、固定期間後に、前記ローカルセッション状態を削除するように構成された装置。
【請求項２３】
請求項１３に記載の装置において、
前記処理システムは更に、前記ネットワーク機能のうちの１つとの接続をサポートし、固定期間、前記ネットワーク機能のうちの１つとの接続が無い場合、前記ローカルセッション状態を削除するように構成された装置。
【請求項２４】
請求項１３に記載の装置において、
前記処理システムは更に、前記グローバルセッション状態への変更に応答して、前記ローカルセッション状態を削除するように構成された装置。
【請求項２５】
アクセスネットワークにおける動作のための装置であって、
前記アクセスネットワーク内の複数のネットワーク機能とアクセス端末との間で通信するためのグローバルセッション状態にアクセスする手段と、
前記アクセス端末と通信するためのローカルセッション状態を維持する手段と
を備える装置。
【請求項２６】
請求項２５に記載の装置において、
前記アクセス端末との接続をサポートする手段を更に備え、前記ローカルセッション状態を維持する手段は、複数の接続にわたって前記ローカルセッション状態を維持するように構成された装置。
【請求項２７】
請求項２５に記載の装置において、
前記アクセス端末との接続をサポートする手段と、前記接続が閉じた場合、前記ローカルセッション状態を削除する手段とを更に備える装置。
【請求項２８】
請求項２５に記載の装置において、
前記アクセス端末との接続をサポートする手段と、前記アクセス端末がエアインタフェース接続ポイントハンドオフを実行する場合、前記ローカルセッション状態を削除する手段とを更に備える装置。
【請求項２９】
請求項２５に記載の装置において、
前記アクセス端末との接続をサポートする手段と、前記アクセス端末がネットワーク層ハンドオフを実行する場合、前記ローカルセッション状態を削除する手段とを更に備える装置。
【請求項３０】
請求項２５に記載の装置において、
固定期間後に、前記ローカルセッション状態を削除する手段を更に備える装置。
【請求項３１】
請求項２５に記載の装置において、
前記アクセス端末との接続をサポートする手段と、固定期間、前記アクセス端末との接続が無い場合、前記ローカルセッション状態を削除する手段とを更に備える装置。
【請求項３２】
請求項２５に記載の装置において、
前記グローバルセッション状態への変更に応答して、前記ローカルセッション状態を削除する手段を更に備える装置。
【請求項３３】
アクセスネットワークにアクセスする装置であって、
前記アクセスネットワーク内の複数のネットワーク機能と通信するためのグローバルセッション状態にアクセスする手段と、
前記ネットワーク機能のうちの１つと通信するためのローカルセッション状態を維持する手段と
を備える装置。
【請求項３４】
請求項３３に記載の装置において、
前記ネットワーク機能のうちの１つとの接続をサポートする手段を更に備え、前記ローカルセッション状態を維持する手段は、複数の接続にわたって前記ローカルセッション状態を維持するように構成された装置。
【請求項３５】
請求項３３に記載の装置において、
前記ネットワーク機能のうちの１つとの接続をサポートする手段と、前記接続が閉じた場合、前記ローカルセッション状態を削除する手段とを更に備える装置。
【請求項３６】
請求項３３に記載の装置において、
前記ネットワーク機能のうちの１つとの接続をサポートする手段と、前記処理システムがエアインタフェース接続ポイントハンドオフを実行する場合、前記ローカルセッション状態を削除する手段とを更に備える装置。
【請求項３７】
請求項３３に記載の装置において、
前記ネットワーク機能のうちの１つとの接続をサポートする手段と、前記処理システムがネットワーク層ハンドオフを実行する場合、前記ローカルセッション状態を削除する手段とを更に備える装置。
【請求項３８】
請求項３３に記載の装置において、
固定期間後に、前記ローカルセッション状態を削除する手段を更に備える装置。
【請求項３９】
請求項３３に記載の装置において、
前記ネットワーク機能のうちの１つとの接続をサポートする手段と、固定期間、前記ネットワーク機能のうちの１つとの接続が無い場合、前記ローカルセッション状態を削除する手段とを更に備える装置。
【請求項４０】
請求項３３に記載の装置において、
前記グローバルセッション状態への変更に応答して、前記ローカルセッション状態を削除する手段を更に備える装置。
【請求項４１】
アクセスネットワークにおける動作のための方法であって、
前記アクセスネットワーク内の複数のネットワーク機能とアクセス端末との間で通信するためのグローバルセッション状態にアクセスすることと、
前記アクセス端末と通信するためのローカルセッション状態を維持することと
を備える方法。
【請求項４２】
請求項４０に記載の方法において、
前記アクセス端末との接続をサポートすることを更に備え、前記ローカルセッション状態は、複数の接続にわたって維持される方法。
【請求項４３】
請求項４０に記載の方法において、
前記アクセス端末との接続をサポートすることと、前記接続が閉じた場合、前記ローカルセッション状態を削除することとを更に備える方法。
【請求項４４】
請求項４０に記載の方法において、
前記アクセス端末との接続をサポートすることと、前記アクセス端末がエアインタフェース接続ポイントハンドオフを実行する場合、前記ローカルセッション状態を削除することとを更に備える方法。
【請求項４５】
請求項４０に記載の方法において、
前記アクセス端末との接続をサポートすることと、前記アクセス端末がネットワーク層ハンドオフを実行する場合、前記ローカルセッション状態を削除することとを更に備える方法。
【請求項４６】
請求項４０に記載の方法において、
固定期間後に、前記ローカルセッション状態を削除することを更に備える方法。
【請求項４７】
請求項４０に記載の方法において、
前記アクセス端末との接続をサポートすることと、固定期間、前記アクセス端末との接続が無い場合、前記ローカルセッション状態を削除することとを更に備える方法。
【請求項４８】
請求項４０に記載の方法において、
前記グローバルセッション状態への変更に応答して、前記ローカルセッション状態を削除することを更に備える方法。
【請求項４９】
アクセスネットワークと通信する方法であって、
前記アクセスネットワーク内の複数のネットワーク機能と通信するためのグローバルセッション状態にアクセスすることと、
前記ネットワーク機能のうちの１つと通信するためのローカルセッション状態を維持することと
を備える方法。
【請求項５０】
請求項４８に記載の方法において、
前記ネットワーク機能のうちの１つとの接続をサポートすることを更に備え、前記ローカルセッション状態は、複数の接続にわたって維持される方法。
【請求項５１】
請求項４８に記載の方法において、
前記ネットワーク機能のうちの１つとの接続をサポートすることと、前記接続が閉じた場合、前記ローカルセッション状態を削除することとを更に備える方法。
【請求項５２】
請求項４８に記載の方法において、
前記ネットワーク機能のうちの１つとの接続をサポートすることと、前記処理システムがエアインタフェース接続ポイントハンドオフを実行する場合、前記ローカルセッション状態を削除することとを更に備える方法。
【請求項５３】
請求項４８に記載の方法において、
前記ネットワーク機能のうちの１つとの接続をサポートすることと、前記処理システムがネットワーク層ハンドオフを実行する場合、前記ローカルセッション状態を削除することとを更に備える方法。
【請求項５４】
請求項４８に記載の方法において、
固定期間後に、前記ローカルセッション状態を削除することを更に備える方法。
【請求項５５】
請求項４８に記載の方法において、
前記ネットワーク機能のうちの１つとの接続をサポートすることと、固定期間、前記ネットワーク機能のうちの１つとの接続が無い場合、前記ローカルセッション状態を削除することとを更に備える方法。
【請求項５６】
請求項４８に記載の方法において、
前記グローバルセッション状態への変更に応答して、前記ローカルセッション状態を削除することを更に備える方法。
【請求項５７】
装置内の１つ又は複数のプロセッサによって実行可能な命令群を備える機械読取可能媒体であって、前記命令群が、
アクセスネットワーク内の複数のネットワーク機能とアクセス端末との間で通信するためのグローバルセッション状態にアクセスするコードと、
前記アクセス端末と通信するためのローカルセッション状態を維持するコードと
を備える機械読取可能媒体。
【請求項５８】
請求項５６に記載の機械読取可能媒体において、
前記命令群が、前記アクセス端末との接続をサポートするコードを更に備え、前記ローカルセッション状態を維持するコードは、複数の接続にわたって前記ローカルセッション状態を維持するように構成される機械読取可能媒体。
【請求項５９】
請求項５６に記載の機械読取可能媒体において、
前記命令群が、前記アクセス端末との接続をサポートするコードと、前記接続が閉じた場合、前記ローカルセッション状態を削除するコードとを更に備える機械読取可能媒体。
【請求項６０】
請求項５６に記載の機械読取可能媒体において、
前記命令群が、前記アクセス端末との接続をサポートするコードと、前記アクセス端末がエアインタフェース接続ポイントハンドオフを実行する場合、前記ローカルセッション状態を削除するコードとを更に備える機械読取可能媒体。
【請求項６１】
請求項５６に記載の機械読取可能媒体において、
前記命令群が、前記アクセス端末との接続をサポートするコードと、前記アクセス端末がネットワーク層ハンドオフを実行する場合、前記ローカルセッション状態を削除するコードとを更に備える機械読取可能媒体。
【請求項６２】
請求項５６に記載の機械読取可能媒体において、
前記命令群が、固定期間後に、前記ローカルセッション状態を削除するコードを更に備える機械読取可能媒体。
【請求項６３】
請求項５６に記載の機械読取可能媒体において、
前記命令群が、前記アクセス端末との接続をサポートするコードと、固定期間、前記アクセス端末との接続が無い場合、前記ローカルセッション状態を削除するコードとを更に備える機械読取可能媒体。
【請求項６４】
請求項５６に記載の機械読取可能媒体において、
前記命令群が、前記グローバルセッション状態への変更に応答して、前記ローカルセッション状態を削除するコードを更に備える機械読取可能媒体。
【請求項６５】
装置内の１つ又は複数のプロセッサによって実行可能な命令群を備える機械読取可能媒体であって、前記命令群が、
アクセスネットワーク内の複数のネットワーク機能と通信するためのグローバルセッション状態にアクセスするコードと、
前記ネットワーク機能のうちの１つと通信するためのローカルセッション状態を維持するコードと
を備える機械読取可能媒体。
【請求項６６】
請求項６４に記載の機械読取可能媒体において、
前記命令群が、前記ネットワーク機能のうちの１つとの接続をサポートするコードを更に備え、前記ローカルセッション状態を維持するコードは、複数の接続にわたって、前記ローカルセッション状態を維持する機械読取可能媒体。
【請求項６７】
請求項６４に記載の機械読取可能媒体において、
前記命令群が、前記ネットワーク機能のうちの１つとの接続をサポートするコードと、前記接続が閉じた場合、前記ローカルセッション状態を削除するコードとを更に備える機械読取可能媒体。
【請求項６８】
請求項６４に記載の機械読取可能媒体において、
前記命令群が、前記ネットワーク機能のうちの１つとの接続をサポートするコードと、前記処理システムがエアインタフェース接続ポイントハンドオフを実行する場合、前記ローカルセッション状態を削除するコードとを更に備える機械読取可能媒体。
【請求項６９】
請求項６４に記載の機械読取可能媒体において、
前記命令群が、前記ネットワーク機能のうちの１つとの接続をサポートするコードと、前記処理システムがネットワーク層ハンドオフを実行する場合、前記ローカルセッション状態を削除するコードとを更に備える機械読取可能媒体。
【請求項７０】
請求項６４に記載の機械読取可能媒体において、
前記命令群が、固定期間後に、前記ローカルセッション状態を削除するコードを更に備える機械読取可能媒体。
【請求項７１】
請求項６４に記載の機械読取可能媒体において、
前記命令群が、前記ネットワーク機能のうちの１つとの接続をサポートするコードと、固定期間、前記ネットワーク機能のうちの１つとの接続が無い場合、前記ローカルセッション状態を削除するコードとを更に備える機械読取可能媒体。
【請求項７２】
請求項６４に記載の機械読取可能媒体において、
前記命令群が、前記グローバルセッション状態への変更に応答して、前記ローカルセッション状態を削除するコードを更に備える機械読取可能媒体。
【発明の詳細な説明】
【技術分野】
【０００１】
本特許出願は、一般に無線通信ネットワークに関し、特に、グローバルセッション状態及びローカルセッション状態を維持する様々な概念及び技術に関する。
【背景技術】
【０００２】
無線通信システムは幅広く開発され、例えばテレフォニ、ビデオ、データ、メッセージング、ブロードキャスト等のような様々な通信サービスを提供する。これらのシステムは一般に、利用可能なネットワークリソースを共有することによって、多くのアクセス端末を広域ネットワーク（ＷＡＮ）に接続することができるアクセスネットワークを利用する。アクセスネットワークは一般に、地理的カバレッジ領域全体に散在する多くのアクセスポイントを用いて実現される。地理的カバレッジ領域は一般に、各セル内にアクセスポイントを伴うセルに分割される。セルは更に、セクタに分割されうる。アクセスポイントは一般に、セル内の各セクタについて１つのトランシーバ機能を含む。トランシーバ機能は、セクタ内のアクセス端末に、エアインタフェース接続ポイントを提供する。
【０００３】
アクセスネットワークは、１つ又は複数のネットワーク機能も含むことができる。典型的な構成において、ネットワーク機能は、任意の数のトランシーバ機能のためのコントローラとして動作し、アクセス端末に関するリソースの割当、管理、及びティアダウンを含む様々なタスクを実行する。ネットワーク機能はまた、アクセス端末に、インターネットプロトコル（ＩＰ）層接続ポイント（ＩＡＰ）を提供する。行先をアクセス端末に定められた全てのＩＰパケットは、ＩＡＰを経由して送られる。アクセスネットワークは、多くのアクセスポイントをサポートする多重ネットワーク機能として本明細書で定義される集中型ネットワークアーキテクチャ、すなわち、各ネットワーク機能が多くのアクセスポイントをサポートし、各アクセスポイントが多くのネットワーク機能によってサポートされるネットワークアーキテクチャを有することができる。あるいはアクセスネットワークは、各アクセスポイントの専用ネットワーク機能として本明細書で定義される分散型ネットワークアーキテクチャ、すなわち、各ネットワーク機能が単一のアクセスポイントをサポートし、各アクセスポイントが単一のネットワーク機能によってサポートされるネットワークアーキテクチャを有することができる。
【０００４】
ＩＰ層接続ポイントを提供することに加えて、ＩＡＰは、任意の数のアクセス端末に関するセッション状態を維持することを請け負う。アクセス端末に関するセッション状態は、接続が閉じた場合保存される、アクセス端末とＩＡＰとの間の制御経路におけるアクセスネットワークの状態である。セッション状態は、アクセス端末とアクセスネットワークとの間でネゴシエートされる属性の値を含む。これらの属性は、アクセス端末によって受信されるサービス及び接続の特性に影響を及ぼす。例えば、アクセス端末は、新たなアプリケーションに関するサービス品質（ＱｏＳ）構成をネゴシエートし、アプリケーションに関するＱｏＳサービス要求を示すアクセスネットワークへ、新たなフィルタスペック及びフロースペックを提供する。別の例として、アクセス端末は、アクセスネットワークを用いる通信において用いられるヘッダの大きさ及びタイプをネゴシエートすることができる。
【０００５】
いくつかの無線通信システムにおいて、与えられたセクタ内のアクセス端末は、そのセクタにサービス提供しているトランシーバ機能のアクセスチャネルにおいてアクセス試みを行うことによって、アクセスポイントとの接続を確立する。このアクセス試みを受信するトランシーバ機能に関連するネットワーク機能は、アクセス端末のセッションマスタとコンタクトし、アクセス端末のセッション状態のコピーを取得する。セッションマスタは、集中型エンティティ又は分散型エンティティであることができ、ＩＡＰと同じ場所にある場合もない場合もある。アクセス試みが成功した場合、アクセス端末は、セクタにサービス提供しているトランシーバ機能と通信するために、例えばＭＡＣ  ＩＤ及びデータチャネルのようなエアインタフェースリソースとエアインタフェースリソースを割り当てられる。加えて、ＩＡＰは、サービス提供しているネットワーク機能へ移される。あるいは、ＩＡＰと、サービス提供しているネットワーク機能との間でＩＰパケットを送るために、ＩＰトンネリングプロトコルが用いられる。
【０００６】
いくつかの無線通信システムにおいて、アクセス端末は、アクセスポイントとの接続を一度確立すると、他のセクタを聞き、聞こえるセクタの信号強度を測定する。アクセス端末は、アクティブセットを生成するためにこれらの測定値を用いる。アクティブセットは、アクセス端末のために確保されたエアインタフェースリソースを有するセクタのセットである。アクセス端末は、アクセスネットワーク全体を移動しながら、他のセクタの信号強度を測定し続け、セクタをアクティブセットに加えたりアクティブセットから除いたりすることができる。あるいは、アクセスネットワークがアクティブセットを維持できるように、信号強度測定値のレポートをアクセスネットワークへ送ることができる。
【０００７】
アクティブセットの１つの機能は、アクセス端末に新たなアクセス試みを行わせることなく、アクセス端末がセクタ間で迅速に切り換わり、サービスを維持することを可能とすることである。これは、（１）アクティブセット内の各セクタ内のアクセス端末のためのエアインタフェースリソースを確保すること、及び（２）セッション状態のコピーを、セッションマスタから、アクティブセット内のセクタへサービス提供している各ネットワーク機能へ提供すること、によって達成される。このアプローチによって、セクタ間のハンドオフが、アクティブなアプリケーションのＱｏＳサービスに影響を及ぼすことなく達成されうる。
【０００８】
これまで、アクセス端末には１つのセッション状態（すなわちグローバルセッション状態）しかなく、アクティブセット内の各セクタにサービス提供している各ネットワーク機能は、この状態に同期化することを要求された。しかし、ネットワーク機能は、セッションマスタで維持されているグローバルセッション状態に影響を及ぼすことなく、一時的にセッション状態を変更する必要がありうる。一例として、例えばボイスオーバーＩＰ（ＶｏＩＰ）のようなアプリケーションは、セッション状態プロファイルの一部として許可制限を必要としないが、非常に負荷の高いネットワーク機能は、もし開始されれば、そのアプリケーションの許可制限を必要としうる。同様に、ネットワーク機能は、アプリケーションを受け取るためにローカル許可制限決定をする必要があるが、ハンドオフ時の許可制限に対するアプリケーションを自動的に受け入れるために、アクセス端末のグローバルセッション状態を変更する必要はない。
【０００９】
別の例として、ネットワーク機能は、その機能に基づいて、いくつかの機能をローカルにディセーブル又はイネーブルする必要がありうる。例えばネットワーク機能は、近隣のセクタと比べて、例えば追加のアンテナのような特別な機能を備えるセクタを有することがあり、アクセス端末と通信する場合、例えば多重入出力（ＭＩＭＯ）やビーム形成のようないくつかの高度な符号化又は変調スキームを用いる必要がありうる。このネットワーク機能は、グローバルセッション状態を更新することなくこれらの機能をイネーブルするために、いくつかのローカル属性を変更する必要がありうる。
【００１０】
従ってこの技術には、ネットワーク機能が、アクセスネットワークのグローバルセッション状態に影響を及ぼすことなくローカルセッション状態を定めることを可能とするメカニズムへのニーズがある。
【発明の開示】
【００１１】
本特許出願は、参照によって本願に明確に組み込まれた、２００６年６月７日出願の“A METHOD AND APPARATUS FOR GLOBAL AND LOCAL SESSION STATE”と題された米国特許仮出願６０／８１２，０１４号の利益を主張する。
【発明の概要】
【００１２】
本開示の１つの局面によると、アクセスネットワークにおける動作のための装置は、アクセスネットワーク内の複数のネットワーク機能とアクセス端末との間で通信するためのグローバルセッション状態にアクセスするように構成された処理システムを含み、処理システムは更に、アクセス端末と通信するためのローカルセッション状態を維持するように構成される。
【００１３】
本開示の別の局面によると、アクセスネットワークにアクセスする装置は、アクセスネットワーク内の複数のネットワーク機能と通信するためのグローバルセッション状態にアクセスするように構成された処理システムを含み、処理システムは更に、ネットワーク機能のうちの１つと通信するためのローカルセッション状態を維持するように構成される。
【００１４】
本開示のまた別の局面によると、アクセスネットワークにおける動作のための装置は、アクセスネットワーク内の複数のネットワーク機能とアクセス端末との間で通信するためのグローバルセッション状態にアクセスする手段と、アクセス端末と通信するためのローカルセッション状態を維持する手段とを含む。
【００１５】
本開示の更なる局面によると、アクセスネットワークにアクセスする装置は、アクセスネットワーク内の複数のネットワーク機能と通信するためのグローバルセッション状態にアクセスする手段と、ネットワーク機能のうちの１つと通信するためのローカルセッション状態を維持する手段とを含む。
【００１６】
本開示の更なる局面によると、アクセスネットワークにおける動作のための方法は、アクセスネットワーク内の複数のネットワーク機能とアクセス端末との間で通信するためのグローバルセッション状態にアクセスすることと、アクセス端末と通信するためのローカルセッション状態を維持することとを含む。
【００１７】
本開示の更なる局面によると、アクセスネットワークと通信する方法は、アクセスネットワーク内の複数のネットワーク機能と通信するためのグローバルセッション状態にアクセスすることと、ネットワーク機能のうちの１つと通信するためのローカルセッション状態を維持することとを含む。
【００１８】
本開示の別の局面によると、機械読取可能媒体は、装置内の１つ又は複数のプロセッサによって実行可能な命令群を備え、命令群は、アクセスネットワーク内の複数のネットワーク機能とアクセス端末との間で通信するためのグローバルセッション状態にアクセスするコードと、アクセス端末と通信するためのローカルセッション状態を維持するコードとを含む。
【００１９】
本開示のまた別の局面によると、機械読取可能媒体は、装置内の１つ又は複数のプロセッサによって実行可能な命令群を備え、命令群は、アクセスネットワーク内の複数のネットワーク機能と通信するためのグローバルセッション状態にアクセスするコードと、ネットワーク機能のうちの１つと通信するためのローカルセッション状態を維持するコードとを含む。
【００２０】
例示によって本発明の様々な局面のみが示され、説明される以下の詳細な説明から、当業者には、本発明の他の局面が容易に明らかになるであろうことが理解される。理解されるように、本発明は、他の異なる構成も可能とし、いくつかの詳細は、本発明の範囲から全て逸脱することなく、その他様々な微点における修正が可能である。従って、図面及び詳細な説明は、本質的に例示的であるとみなされ、限定的であるとはみなされない。
【詳細な説明】
【００２１】
添付図面と関連して以下で説明される詳細な説明は、本発明の様々な局面の説明として意図されており、本発明のただ１つの局面を表すようには意図されていない。この詳細な説明は、本発明の完全な理解を提供することを目的とするために、具体的な詳細を含む。しかし、本発明は、これらの具体的な詳細なしにも実行されうることが、当業者には明らかであるだろう。いくつかの例において、周知の構成及び構成要素が、本発明の概念を不明瞭にすることを回避するために、ブロック図形式で示される。
【００２２】
本開示を通して示される様々な概念は、広範囲の通信システムにわたって利用することができる。一例として、ウルトラ・モバイル・ブロードバンド（ＵＭＢ）に基づく無線通信システムが、これらの概念の利益を得ることができる。ＵＭＢは、３ＧＰＰ２によって公布されたエアインタフェース規格であり、ＣＤＭＡ２０００規格ファミリーの一部である。ＵＭＢは一般に、モバイル加入者へインターネットアクセスを提供するために用いられる。本技術の利益を得ることができる無線通信システムの別の例は、ＩＥＥＥ  ８０２．２０に基づくシステムである。ＩＥＥＥ  ８０２．２０は、インターネットプロトコル（ＩＰ）ベースのサービスのために設計されたパケットベースのエアインタフェースである。明確な説明のために、ここでは様々な概念が、分散型ネットワークアーキテクチャを参照して示されるが、本概念は、集中型ネットワークアーキテクチャにも同等に適用可能であり、その他の無線通信システムに容易に拡張されることができる。
【００２３】
図１は、アクセス端末を含む分散型アクセスネットワークアーキテクチャを示す概念ブロック図である。アクセス端末１０２は、アクセスネットワーク１０６によって、例えばインターネットのようなパケットベースネットワーク１０４と接続されるように示される。アクセス端末１０２は、ユーザがアクセスネットワーク１０６からサービスを取得することができる、固定式又は移動式のデバイスでありうる。一例として、アクセス端末１０２は、セルラー電話、携帯情報端末（ＰＤＡ）、パーソナルコンピュータ、ラップトップコンピュータ、デジタルカメラ、デジタルカムコーダ、ゲーム機、オーディオデバイス、ビデオデバイス、マルチメディアデバイス、又は、アクセスネットワーク１０６からサービスを受信することのできるその他任意の適切なデバイスでありうる。
【００２４】
アクセスネットワーク１０６は、セルラーカバレッジ領域全体に分散し、各セル内に位置する複数のアクセスポイント１０７１乃至１０７３を含む。アクセスポイント１０７は、サービス提供しているセル内の各セクタに関して、別々のトランシーバ機能１０８を含む。トランシーバ機能１０８は、そのセクタ内のアクセス端末に、エアインタフェース接続ポイントを提供するために用いられる。この例において、図１に示すアクセス端末１０２のエアインタフェース接続ポイントは、トランシーバ機能１０８１２である。トランシーバ機能１０８１２は、サービス提供トランシーバ機能と称される。
【００２５】
各アクセスポイント１０７はまた、ネットワーク機能１１０も含む。ネットワーク機能１１０は、アクセスポイント１０７のトランシーバ機能１０８を制御することを請け負い、アクセス端末に関するリソースの割当、管理、及びティアダウンのようなタスクを実行する。この例において、ネットワーク機能１１０１は、アクセス端末１０２のエアインタフェース接続ポイントとしてサービス提供するトランシーバ機能１０８１２を制御するので、サービス提供ネットワーク機能である。サービス提供ネットワーク機能１１０１は、アクセス端末１０２へＩＡＰを提供することができる。あるいは、ＩＡＰはどこかに位置することができ、ＩＡＰとサービス提供ネットワーク機能１１０１との間でＩＰパケットを送るためにＩＰトンネリングプロトコルを用いることができる。パケットベースネットワーク１０４を介する接続を維持することを請け負うホームエージェント１１２は、ＩＡＰを通して、ＩＰパケットをアクセス端末１０２と交換する。
【００２６】
無線状態が変化すると、アクセス端末１０２は、自身のエアインタフェース接続ポイントを、アクティブセット内の新たなセクタへ変更する。エアインタフェース接続ポイントを変更する処理は、アクセス端末１０２のハンドオフをリンク層で構成するために、しばしば「Ｌ２ハンドオフ」と称される。アクセス端末１０２は、アクティブセット内の全てのセクタの順方向リンク及び逆方向リンクの無線状態について、フィルタされた測定を実行する。一例として、ＵＭＢベースの通信システムにおいて、アクセス端末１０２は、順方向リンクセクタを選択するために、取得パイロット、（もし存在すれば）共通パイロットチャネル、及び、共有シグナリングチャネル上のパイロットの信号対干渉雑音比（ＳＩＮＲ）を測定することができる。逆方向リンクの場合、アクセス端末１０２は、セクタからアクセス端末１０２へのアップ／ダウン電力制御コマンドに基づいて、アクティブセット内の各セクタのＣＱＩ消去レートを測定することができる。
【００２７】
アクセス端末１０２が、自身のエアインタフェース接続ポイントを変更する場合、ＩＡＰは、新たなトランシーバ機能にサービス提供しているネットワーク機能へ移されることができる。ＩＡＰを変更する処理は、アクセス端末１０２のハンドオフをネットワーク層で構成するために、しばしば「Ｌ３ハンドオフ」と称される。Ｌ３ハンドオフには、アップデートを新たなＩＡＰとバインディングするホームエージェントと、グローバルセッション状態の新たなＩＡＰへの転送とが必要である。Ｌ３ハンドオフの代替例として、サービス提供ネットワーク機能とＩＡＰとの間でパケットを送るために、ＩＰトンネリングプロトコルを用いることができる。
【００２８】
本開示の背景技術の部分で説明したように、アクティブセットを用いることは、アクセス端末が、（１）アクティブセット内の各セクタ内のアクセス端末のためのエアインタフェースリソースを確保すること、及び（２）グローバルセッション状態のコピーを、アクティブセット内のセクタにサービス提供している各ネットワーク機能へ提供すること、によって、新たなアクセス試みを行うことなく、セクタ間で迅速に切り換わり、サービスを維持することを可能とする。
【００２９】
ここで、図１を参照して例が示される。アクセス端末１０２がサービス提供トランシーバ機能１０８１２とのアクティブな接続を確立すると、アクティブセットの生成が始まるであろう。この例において、サービス提供アクセスポイント１０７１内の他のトランシーバ機能１０８１１及び近隣のアクセスポイント１０７２内のトランシーバ機能１０８２１、１０８２２からの信号強度が、これらのトランシーバ機能によってサービス提供されるセクタをアクティブセットへ追加するために十分であるべきである。アクセス端末１０２は、接続要求をネットワーク機能１１０１及び１１０２へ送ることによって、アクティブセットへセクタを追加する。接続要求に応答して、ネットワーク機能１１０１、１１０２は、これらのセクタ内のアクセス端末のためのエアインタフェースリソースを確保する。近隣のアクセスポイント１０７２内のネットワーク機能１１０２も、グローバルセッション状態のコピーをアクセス端末１０２のセッションマスタから取得する。この例において、ＩＡＰは、セッションマスタ及びサービス提供ネットワーク機能１１０１である。
【００３０】
図２は、アクティブセットにセクタを追加するコールフローの例を示す図である。ステップ２０２で、アクセス端末１０２は、アクティブセットに追加されているセクタを制御するネットワーク機能２１０へ接続要求を送る。接続要求は、アクセス端末１０２のセッションマスタ２２０の識別子を含む。識別子は、セッションマスタ２２０を直接アドレス指定するＩＰアドレスとして用いられるか、あるいはセッションマスタ２２０のアドレスを調べるために用いられることができるユニキャストアクセス端末識別子（ＵＡＴＩ）であることができる。ステップ２０４で、ネットワーク機能２１０は、アクティブセットに加わる場合、「セッション取得要求」メッセージをセッションマスタ２２０へ送ることによって、グローバルセッション状態のコピーをセッションマスタ２２０から取得する。セッションマスタ２２０は、グローバルセッション状態の属性を含む「セッション取得応答」を用いて応答する。
【００３１】
アクセス端末１０２がネットワーク機能２１０との接続を確立すると（すなわち、ネットワーク機能がサービス提供ネットワーク機能となると）、この接続を介する通信のためにローカルセッション状態が定められる。アクセス端末１０２とサービス提供ネットワーク機能２１０は、グローバルセッション状態に影響を及ぼすことなくローカルセッション状態への変更をネゴシエートできる。接続が閉じると、アクセス端末はアイドルであるため、あるいは、アクセス端末は別のアクセスポイントへのＬ２ハンドオフ又はＬ３ハンドオフを行わないため、ローカルセッション状態は削除されうる。あるいは、ローカルセッション状態は、接続が何回も開いたり閉じたりすると、持続することができる。アクセスネットワークの１つの構成において、もし接続が固定期間内に再確立されなければ、ローカルセッション状態は、接続が閉じた後に終了しうる。アクセスネットワークの別の構成において、ローカルセッション状態は、アクセス端末とネットワーク機能との間の接続が開いていても閉じていても、固定期間後に削除される。ローカルセッション状態はまた、グローバルセッション状態への変更に応答して削除されうる。ローカルセッション状態がアクセスネットワークのために維持される実際の方式は、特定のアプリケーション及びシステム全体に課された設計制約に依存して変わりうる。当業者は、任意の特定のアプリケーションのためにローカルセッション状態を実現する最良の方法を、容易に判定することができるであろう。
【００３２】
図３は、セッション状態を変更するコールフローの例を示す図である。この変更は、ローカルセッション状態、グローバルセッション状態、又はその両方に対してであることができる。アクセス端末及びサービス提供ネットワーク機能は、要求される変更のタイプに依存して、その変更が、ローカルセッション状態に対してであるかグローバルセッション状態に対してであるか、又はその両方に対してであるかを判定することができる。この例において、サービス提供ネットワーク機能３２０は、アクセス端末１０２のセッションマスタ３４０へのＩＰトンネルを有する。第２のネットワーク機能３６０は、アクセス端末１０２のアクティブセット内にあるセクタにサービス提供する。
【００３３】
図３を参照すると、アクセス端末１０２は、ステップ３０２で、サービス提供ネットワーク機能３２０へ設定メッセージを送ることによって、セッション状態を再設定又は変更する。設定メッセージは、変更が、ローカルセッション状態に対してなされるべきかグローバルセッション状態に対してなされるべきか、又はその両方に対してなされるべきかを示すフィールドを含むことができる。あるいは、アクセス端末１０２は、変更がローカルセッション状態に対してであるかグローバルセッション状態に対してであるかに依存して、異なるタイプの設定メッセージを用いることができる。任意の事象において、サービス提供ネットワーク機能３２０は、変更の性質及び変更がどこで起ころうとしているかを、設定メッセージから判定する。この例において、設定メッセージは、ローカルセッション状態における変更に影響を与えるために、ステップ３０２で送られる。設定メッセージに応答して、サービス提供ネットワーク機能３２０は、アクセス端末１０２によって維持されているローカルセッション状態を変更し、その後ステップ３０４で、設定完了メッセージをアクセス端末へ送り戻す。
【００３４】
あるいは、サービス提供ネットワーク機能３２０又は設定メッセージを受信するネットワーク機能は、アクセス端末によって要求された変更が、ローカルセッション状態に対してであるかグローバルセッション状態に対してであるかを判定することができる。この場合において、アクセス端末１０２からサービス提供ネットワーク機能へステップ３０２で送られた設定メッセージは、変更が起こるかを示さないであろう。代わりに、サービス提供ネットワーク３２０が判定し、アクセス端末１０２へ設定完了メッセージ内のフィールド又は設定完了メッセージを送るための特定のチャネルを用いて示すだろう。この例において、アクセス端末１２０は、ステップ３０４で送られた設定完了メッセージに応答して、自身のローカルセッション状態を変更する。
【００３５】
ステップ３０６において、アクセス端末１０２は、別の設定メッセージをサービス提供ネットワーク機能３２０へ送る。しかしこの場合、ステップ３０６で送られた設定メッセージがグローバルセッション状態への変更をコールするためか、あるいは、サービス提供ネットワーク機能３２０が、変更はグローバルセッション状態に対してであるべきだと判定するためかの何れかの理由によって、変更は、グローバルセッション状態に対してとなる。サービス提供ネットワーク機能３２０はその後、ステップ３０８で、変更要求メッセージをセッションマスタ３４０へ送る。セッションマスタ３４０は、グローバルセッション状態を変更し、その後ステップ３１０で、グローバルセッション状態が変更されたことを示す応答を、サービス提供ネットワーク機能３２０へ送り戻す。ステップ３１２で、サービス提供ネットワーク機能３２０は、設定完了メッセージをアクセス端末１０２へ送る。もしサービス提供ネットワーク機能３２０が、変更はグローバルセッション状態に対してであるべきだと決定すれば、その後設定完了メッセージは、アクセス端末１０２が、自身の維持するグローバルセッション状態を変更できるように示すだろう。
【００３６】
次に、ステップ３１４で、アクセス端末１０２は、「同期セッション要求」メッセージを、アクティブセット内のセクタにサービス提供している各ネットワーク機能へ送り、セッション状態のコピーを更新するように要求する。この例において、「同期セッション要求」メッセージは、第２のネットワーク機能３６０へ送られる。ステップ３１６で、第２のネットワーク機能３６０は、「セッション取得要求」メッセージを用いてセッションマスタ３４０に問い合わせるために、アクティブセットに加えられた時に取得したＵＡＴＩを用いる。セッションマスタ３４０は、ステップ３１８で、グローバルセッション状態の属性を含む「セッション取得応答」メッセージを用いて応答する。
【００３７】
図４は、アクセスポイント及びアクセス端末のハードウェア構成の例を示す概念ブロック図である。この例において、アクセスポイント１０７が、処理システム４０２、ネットワークトランシーバ４０４、セル内の各セクタの無線トランシーバ４０６を用いて示される。各無線トランシーバ４０６は、無線信号を復調し、その他のＲＦフロントエンド処理を実行することによって、トランシーバ機能の物理層のアナログ部分を実現するために用いられる。処理システム４０２は、トランシーバ機能の物理層のデジタル処理部分と、リンク層とを実現するために用いられる。処理システム４０２はまた、アクセスポイント１０７のネットワーク機能を提供する。ネットワークトランシーバ４０４は、処理システム４０２内のネットワーク機能とアクセスネットワークのバックホールとの間のインタフェースを提供する。
【００３８】
アクセス端末１０２が、処理システム４１２、ユーザインタフェース４１４、及び無線トランシーバ４１６を用いて示される。アクセスポイント１０７の無線トランシーバ４０６と同様に、無線トランシーバ４１６は、無線信号を復調し、その他のＲＦフロントエンド処理を実行することによって、アクセス端末１０２の物理層のアナログ部分を実現するために用いられる。処理システム４１２は、物理層のデジタル処理部分、リンク層、ネットワーク層、及び全ての上位層機能を実現するために用いられる。ユーザインタフェース４１４は、ユーザがアクセス端末１０２を動作することを可能とするために提供され、一例として、ディスプレイとキーパッドとを含むことができる。
【００３９】
アクセスポイント１０７及びアクセス端末１０２の処理システム４０２、４１２は、１つ又は複数のプロセッサを用いて実現されることができる。プロセッサは、例えばマイクロプロセッサのような汎用プロセッサ、例えばデジタル信号プロセッサ（ＤＳＰ）のような特定用途向けプロセッサ、又はソフトウェアをサポート可能なその他任意のハードウェアプラットフォームであることができる。ソフトウェアは、ソフトウェア、ファームウェア、ミドルウェア、マイクロコード、又はその他任意の専門用語として称されるかにかかわらず、命令、データ構成、又はプログラムコードの任意の組み合わせを意味するように幅広く解釈されるものとする。あるいは、プロセッサは、特定用途向け集積回路（ＡＳＩＣ）、プログラマブル論理デバイス（ＰＬＤ）、フィールド・プログラマブル・ゲート・アレイ（ＦＰＧＡ）、コントローラ、マイクロコントローラ、状態機器、又はディスクリートハードウェア部品の組み合わせや、上記何れかの組み合わせであることができる。処理システム４０２、４１２はまた、１つ又は複数のプロセッサによって実行されるソフトウェアを格納する機械読取可能媒体を含むこともできる。機械読取可能媒体は、処理システム４０２、４１２内でその全体又は一部を実現される１つ又は複数の記憶デバイスを含むことができる。機械読取可能媒体はまた、処理システム４０２、４１２から隔離した１つ又は複数の記憶デバイスを含むこともでき、また、データ信号を符号化する送信ラインや搬送波によって実現されることもできる。当業者は、処理システム４０２、４１２の上述した機能を実現するために何れが最良であるかを理解するであろう。
【００４０】
図５は、アクセスネットワークにアクセスする装置内の処理システムの機能の例を示すブロック図である。装置５００は、アクセス端末又はその他のエンティティであることができる。装置５００は、アクセスネットワーク内の複数のネットワーク機能と通信するためのグローバルセッション状態にアクセスするモジュール５０２と、ネットワーク機能のうちの１つと通信するためのローカルセッション状態を維持するモジュール５０４とを含む。
【００４１】
図６は、アクセスネットワークにおいて動作する装置内の処理システムの機能の例を示すブロック図である。装置６００は、ネットワーク機能又はその他のエンティティであることができる。装置６００は、アクセス端末と、アクセスネットワーク内の複数のネットワーク機能との間で通信するためのグローバルセッション状態にアクセスするモジュール６０２と、アクセス端末と通信するためのローカルセッション状態を維持するモジュール６０４とを含む。
【００４２】
上記記載は、当業者をして、本明細書で説明した様々な局面を実行することを可能とするために提供される。これらの局面への様々な変形例もまた、当業者に対しては明らかであって、本明細書で定義された一般原理は、他の局面にも適用されうる。従って、本特許請求の範囲は、本明細書に示された局面に限定することは意図されておらず、特許請求の範囲の文言と整合が取れた最も広い範囲と一致するように意図されており、単一の要素への参照は、特に記載されない限り、「１つ及びただ１つ」を意味するようには意図されておらず、「１つ又は複数」を意味するように意図されている。当業者には周知の、あるいは後に知られることとなる、本開示で説明された様々な局面の要素への構成的等価物又及び機能的等価物は、参照によって本明細書に明確に組み込まれ、特許請求の範囲によって包含されることを意図されている。更に、本明細書に開示されたいかなるものも、このような開示が特許請求の範囲に明確に記載されたかにかかわらず、公衆に放棄されることは意図されていない。いかなる請求項の要素も、その要素が、「〜する手段」という語句、あるいは方法請求項の場合には「〜するステップ」という語句を用いて明確に記載されない限り、３５Ｕ．Ｓ．Ｃ．１１２条の規定の下で解釈されない。  
【図面の簡単な説明】
【００４３】
【図１】図１は、アクセス端末を含む分散型アクセスネットワークアーキテクチャを示す概念ブロック図である。
【図２】図２は、アクティブセットにセクタを追加するコールフローの例を示す図である。
【図３】図３は、セッション状態を変更するコールフローの例を示す図である。
【図４】図４は、アクセスポイント及びアクセス端末のハードウェア構成の例を示す概念ブロック図である。
【図５】図５は、アクセスネットワークにアクセスする装置内の処理システムの機能の例を示すブロック図である。
【図６】図６は、アクセスネットワークにおける動作のための装置内の処理システムの機能の例を示すブロック図である。
【図１】
2009540698.tif 000003
【図２】
2009540698.tif 000004
【図３】
2009540698.tif 000005
【図４】
2009540698.tif 000006
【図５】
2009540698.tif 000007
【図６】
2009540698.tif 000008
【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
アクセスネットワークにおける動作のための装置であって、
前記アクセスネットワーク内の複数のネットワーク機能とアクセス端末との間で通信するためのグローバルセッション状態にアクセスするように構成された処理システムを備え、前記処理システムは更に、前記アクセス端末と通信するためのローカルセッション状態を維持するように構成された装置。
【請求項２】
請求項１に記載の装置において、
前記グローバルセッション状態と前記ローカルセッション状態とは、前記アクセス端末と通信するための複数の属性を備え、前記属性の各々が値を有する装置。
【請求項３】
請求項２に記載の装置において、
前記処理システムは更に、前記グローバルセッション状態と前記ローカルセッション状態との両方に関する１つ又は複数の属性の前記値を変更するように構成された装置。
【請求項４】
請求項２に記載の装置において、
前記処理システムは更に、前記グローバルセッション状態と前記ローカルセッション状態とのうちの１つのみに関する１つ又は複数の属性の前記値を変更するように構成された装置。
【請求項５】
請求項１に記載の装置において、
前記処理システムは更に、前記アクセス端末との接続をサポートし、前記アクセス端末と通信する場合、前記ローカルセッション状態を前記グローバルセッション状態よりも優先させるように構成された装置。
【請求項６】
請求項１に記載の装置において、
前記処理システムは更に、前記アクセス端末との接続をサポートするように構成され、前記処理システムによって維持される前記ローカルセッション状態は、複数の接続にわたって持続するように構成された装置。
【請求項７】
請求項１に記載の装置において、
前記処理システムは更に、前記アクセス端末との接続をサポートし、前記接続が閉じた場合、前記ローカルセッション状態を削除するように構成された装置。
【請求項８】
請求項１に記載の装置において、
前記処理システムは更に、前記アクセス端末との接続をサポートし、前記アクセス端末がエアインタフェース接続ポイントハンドオフを実行する場合、前記ローカルセッション状態を削除するように構成された装置。
【請求項９】
請求項１に記載の装置において、
前記処理システムは更に、前記アクセス端末との接続をサポートし、前記アクセス端末がネットワーク層ハンドオフを実行する場合、前記ローカルセッション状態を削除するように構成された装置。
【請求項１０】
請求項１に記載の装置において、
前記処理システムは更に、固定期間後に、前記ローカルセッション状態を削除するように構成された装置。
【請求項１１】
請求項１に記載の装置において、
前記処理システムは更に、前記アクセス端末との接続をサポートし、固定期間、前記アクセス端末との接続が無い場合、前記ローカルセッション状態を削除するように構成された装置。
【請求項１２】
請求項１に記載の装置において、
前記処理システムは更に、前記グローバルセッション状態への変更に応答して、前記ローカルセッション状態を削除するように構成された装置。
【請求項１３】
アクセスネットワークにアクセスする装置であって、
前記アクセスネットワーク内の複数のネットワーク機能と通信するためのグローバルセッション状態にアクセスするように構成された処理システムを備え、前記処理システムは更に、前記ネットワーク機能のうちの１つと通信するためのローカルセッション状態を維持するように構成された装置。
【請求項１４】
請求項１３に記載の装置において、
前記グローバルセッション状態と前記ローカルセッション状態とは、前記アクセス端末と通信するための複数の属性を備え、前記属性の各々が値を有する装置。
【請求項１５】
請求項１４に記載の装置において、
前記処理システムは更に、前記グローバルセッション状態と前記ローカルセッション状態との両方に関する１つ又は複数の属性の前記値を変更するように構成された装置。
【請求項１６】
請求項１４に記載の装置において、
前記処理システムは更に、前記グローバルセッション状態と前記ローカルセッション状態とのうちの１つのみに関する１つ又は複数の属性の前記値を変更するように構成された装置。
【請求項１７】
請求項１３に記載の装置において、
前記処理システムは更に、前記ネットワーク機能のうちの１つとの接続をサポートし、前記ネットワーク機能のうちの１つと通信する場合、前記ローカルセッション状態を前記グローバルセッション状態よりも優先させるように構成された装置。
【請求項１８】
請求項１３に記載の装置において、
前記処理システムは更に、前記ネットワーク機能のうちの１つとの接続をサポートするように構成され、前記処理システムによって維持される前記ローカルセッション状態は、複数の接続にわたって持続するように構成された装置。
【請求項１９】
請求項１３に記載の装置において、
前記処理システムは更に、前記ネットワーク機能のうちの１つとの接続をサポートし、前記接続が閉じた場合、前記ローカルセッション状態を削除するように構成された装置。
【請求項２０】
請求項１３に記載の装置において、
前記処理システムは更に、前記ネットワーク機能のうちの１つとの接続をサポートし、前記処理システムがエアインタフェース接続ポイントハンドオフを実行する場合、前記ローカルセッション状態を削除するように構成された装置。
【請求項２１】
請求項１３に記載の装置において、
前記処理システムは更に、前記ネットワーク機能のうちの１つとの接続をサポートし、前記処理システムがネットワーク層ハンドオフを実行する場合、前記ローカルセッション状態を削除するように構成された装置。
【請求項２２】
請求項１３に記載の装置において、
前記処理システムは更に、固定期間後に、前記ローカルセッション状態を削除するように構成された装置。
【請求項２３】
請求項１３に記載の装置において、
前記処理システムは更に、前記ネットワーク機能のうちの１つとの接続をサポートし、固定期間、前記ネットワーク機能のうちの１つとの接続が無い場合、前記ローカルセッション状態を削除するように構成された装置。
【請求項２４】
請求項１３に記載の装置において、
前記処理システムは更に、前記グローバルセッション状態への変更に応答して、前記ローカルセッション状態を削除するように構成された装置。
【請求項２５】
アクセスネットワークにおける動作のための装置であって、
前記アクセスネットワーク内の複数のネットワーク機能とアクセス端末との間で通信するためのグローバルセッション状態にアクセスする手段と、
前記アクセス端末と通信するためのローカルセッション状態を維持する手段と
を備える装置。
【請求項２６】
請求項２５に記載の装置において、
前記アクセス端末との接続をサポートする手段を更に備え、前記ローカルセッション状態を維持する手段は、複数の接続にわたって前記ローカルセッション状態を維持するように構成された装置。
【請求項２７】
請求項２５に記載の装置において、
前記アクセス端末との接続をサポートする手段と、前記接続が閉じた場合、前記ローカルセッション状態を削除する手段とを更に備える装置。
【請求項２８】
請求項２５に記載の装置において、
前記アクセス端末との接続をサポートする手段と、前記アクセス端末がエアインタフェース接続ポイントハンドオフを実行する場合、前記ローカルセッション状態を削除する手段とを更に備える装置。
【請求項２９】
請求項２５に記載の装置において、
前記アクセス端末との接続をサポートする手段と、前記アクセス端末がネットワーク層ハンドオフを実行する場合、前記ローカルセッション状態を削除する手段とを更に備える装置。
【請求項３０】
請求項２５に記載の装置において、
固定期間後に、前記ローカルセッション状態を削除する手段を更に備える装置。
【請求項３１】
請求項２５に記載の装置において、
前記アクセス端末との接続をサポートする手段と、固定期間、前記アクセス端末との接続が無い場合、前記ローカルセッション状態を削除する手段とを更に備える装置。
【請求項３２】
請求項２５に記載の装置において、
前記グローバルセッション状態への変更に応答して、前記ローカルセッション状態を削除する手段を更に備える装置。
【請求項３３】
アクセスネットワークにアクセスする装置であって、
前記アクセスネットワーク内の複数のネットワーク機能と通信するためのグローバルセッション状態にアクセスする手段と、
前記ネットワーク機能のうちの１つと通信するためのローカルセッション状態を維持する手段と
を備える装置。
【請求項３４】
請求項３３に記載の装置において、
前記ネットワーク機能のうちの１つとの接続をサポートする手段を更に備え、前記ローカルセッション状態を維持する手段は、複数の接続にわたって前記ローカルセッション状態を維持するように構成された装置。
【請求項３５】
請求項３３に記載の装置において、
前記ネットワーク機能のうちの１つとの接続をサポートする手段と、前記接続が閉じた場合、前記ローカルセッション状態を削除する手段とを更に備える装置。
【請求項３６】
請求項３３に記載の装置において、
前記ネットワーク機能のうちの１つとの接続をサポートする手段と、前記処理システムがエアインタフェース接続ポイントハンドオフを実行する場合、前記ローカルセッション状態を削除する手段とを更に備える装置。
【請求項３７】
請求項３３に記載の装置において、
前記ネットワーク機能のうちの１つとの接続をサポートする手段と、前記処理システムがネットワーク層ハンドオフを実行する場合、前記ローカルセッション状態を削除する手段とを更に備える装置。
【請求項３８】
請求項３３に記載の装置において、
固定期間後に、前記ローカルセッション状態を削除する手段を更に備える装置。
【請求項３９】
請求項３３に記載の装置において、
前記ネットワーク機能のうちの１つとの接続をサポートする手段と、固定期間、前記ネットワーク機能のうちの１つとの接続が無い場合、前記ローカルセッション状態を削除する手段とを更に備える装置。
【請求項４０】
請求項３３に記載の装置において、
前記グローバルセッション状態への変更に応答して、前記ローカルセッション状態を削除する手段を更に備える装置。
【請求項４１】
アクセスネットワークにおける動作のための方法であって、
前記アクセスネットワーク内の複数のネットワーク機能とアクセス端末との間で通信するためのグローバルセッション状態にアクセスすることと、
前記アクセス端末と通信するためのローカルセッション状態を維持することと
を備える方法。
【請求項４２】
請求項４１に記載の方法において、
前記アクセス端末との接続をサポートすることを更に備え、前記ローカルセッション状態は、複数の接続にわたって維持される方法。
【請求項４３】
請求項４１に記載の方法において、
前記アクセス端末との接続をサポートすることと、前記接続が閉じた場合、前記ローカルセッション状態を削除することとを更に備える方法。
【請求項４４】
請求項４１に記載の方法において、
前記アクセス端末との接続をサポートすることと、前記アクセス端末がエアインタフェース接続ポイントハンドオフを実行する場合、前記ローカルセッション状態を削除することとを更に備える方法。
【請求項４５】
請求項４１に記載の方法において、
前記アクセス端末との接続をサポートすることと、前記アクセス端末がネットワーク層ハンドオフを実行する場合、前記ローカルセッション状態を削除することとを更に備える方法。
【請求項４６】
請求項４１に記載の方法において、
固定期間後に、前記ローカルセッション状態を削除することを更に備える方法。
【請求項４７】
請求項４１に記載の方法において、
前記アクセス端末との接続をサポートすることと、固定期間、前記アクセス端末との接続が無い場合、前記ローカルセッション状態を削除することとを更に備える方法。
【請求項４８】
請求項４１に記載の方法において、
前記グローバルセッション状態への変更に応答して、前記ローカルセッション状態を削除することを更に備える方法。
【請求項４９】
アクセスネットワークと通信する方法であって、
前記アクセスネットワーク内の複数のネットワーク機能と通信するためのグローバルセッション状態にアクセスすることと、
前記ネットワーク機能のうちの１つと通信するためのローカルセッション状態を維持することと
を備える方法。
【請求項５０】
請求項４９に記載の方法において、
前記ネットワーク機能のうちの１つとの接続をサポートすることを更に備え、前記ローカルセッション状態は、複数の接続にわたって維持される方法。
【請求項５１】
請求項４９に記載の方法において、
前記ネットワーク機能のうちの１つとの接続をサポートすることと、前記接続が閉じた場合、前記ローカルセッション状態を削除することとを更に備える方法。
【請求項５２】
請求項４９に記載の方法において、
前記ネットワーク機能のうちの１つとの接続をサポートすることと、前記処理システムがエアインタフェース接続ポイントハンドオフを実行する場合、前記ローカルセッション状態を削除することとを更に備える方法。
【請求項５３】
請求項４９に記載の方法において、
前記ネットワーク機能のうちの１つとの接続をサポートすることと、前記処理システムがネットワーク層ハンドオフを実行する場合、前記ローカルセッション状態を削除することとを更に備える方法。
【請求項５４】
請求項４９に記載の方法において、
固定期間後に、前記ローカルセッション状態を削除することを更に備える方法。
【請求項５５】
請求項４９に記載の方法において、
前記ネットワーク機能のうちの１つとの接続をサポートすることと、固定期間、前記ネットワーク機能のうちの１つとの接続が無い場合、前記ローカルセッション状態を削除することとを更に備える方法。
【請求項５６】
請求項４９に記載の方法において、
前記グローバルセッション状態への変更に応答して、前記ローカルセッション状態を削除することを更に備える方法。
【請求項５７】
装置内の１つ又は複数のプロセッサによって実行可能な命令群を備える機械読取可能媒体であって、前記命令群が、
アクセスネットワーク内の複数のネットワーク機能とアクセス端末との間で通信するためのグローバルセッション状態にアクセスするコードと、
前記アクセス端末と通信するためのローカルセッション状態を維持するコードと
を備える機械読取可能媒体。
【請求項５８】
請求項５７に記載の機械読取可能媒体において、
前記命令群が、前記アクセス端末との接続をサポートするコードを更に備え、前記ローカルセッション状態を維持するコードは、複数の接続にわたって前記ローカルセッション状態を維持するように構成される機械読取可能媒体。
【請求項５９】
請求項５７に記載の機械読取可能媒体において、
前記命令群が、前記アクセス端末との接続をサポートするコードと、前記接続が閉じた場合、前記ローカルセッション状態を削除するコードとを更に備える機械読取可能媒体。
【請求項６０】
請求項５７に記載の機械読取可能媒体において、
前記命令群が、前記アクセス端末との接続をサポートするコードと、前記アクセス端末がエアインタフェース接続ポイントハンドオフを実行する場合、前記ローカルセッション状態を削除するコードとを更に備える機械読取可能媒体。
【請求項６１】
請求項５７に記載の機械読取可能媒体において、
前記命令群が、前記アクセス端末との接続をサポートするコードと、前記アクセス端末がネットワーク層ハンドオフを実行する場合、前記ローカルセッション状態を削除するコードとを更に備える機械読取可能媒体。
【請求項６２】
請求項５７に記載の機械読取可能媒体において、
前記命令群が、固定期間後に、前記ローカルセッション状態を削除するコードを更に備える機械読取可能媒体。
【請求項６３】
請求項５７に記載の機械読取可能媒体において、
前記命令群が、前記アクセス端末との接続をサポートするコードと、固定期間、前記アクセス端末との接続が無い場合、前記ローカルセッション状態を削除するコードとを更に備える機械読取可能媒体。
【請求項６４】
請求項５７に記載の機械読取可能媒体において、
前記命令群が、前記グローバルセッション状態への変更に応答して、前記ローカルセッション状態を削除するコードを更に備える機械読取可能媒体。
【請求項６５】
装置内の１つ又は複数のプロセッサによって実行可能な命令群を備える機械読取可能媒体であって、前記命令群が、
アクセスネットワーク内の複数のネットワーク機能と通信するためのグローバルセッション状態にアクセスするコードと、
前記ネットワーク機能のうちの１つと通信するためのローカルセッション状態を維持するコードと
を備える機械読取可能媒体。
【請求項６６】
請求項６５に記載の機械読取可能媒体において、
前記命令群が、前記ネットワーク機能のうちの１つとの接続をサポートするコードを更に備え、前記ローカルセッション状態を維持するコードは、複数の接続にわたって、前記ローカルセッション状態を維持する機械読取可能媒体。
【請求項６７】
請求項６５に記載の機械読取可能媒体において、
前記命令群が、前記ネットワーク機能のうちの１つとの接続をサポートするコードと、前記接続が閉じた場合、前記ローカルセッション状態を削除するコードとを更に備える機械読取可能媒体。
【請求項６８】
請求項６５に記載の機械読取可能媒体において、
前記命令群が、前記ネットワーク機能のうちの１つとの接続をサポートするコードと、前記処理システムがエアインタフェース接続ポイントハンドオフを実行する場合、前記ローカルセッション状態を削除するコードとを更に備える機械読取可能媒体。
【請求項６９】
請求項６５に記載の機械読取可能媒体において、
前記命令群が、前記ネットワーク機能のうちの１つとの接続をサポートするコードと、前記処理システムがネットワーク層ハンドオフを実行する場合、前記ローカルセッション状態を削除するコードとを更に備える機械読取可能媒体。
【請求項７０】
請求項６５に記載の機械読取可能媒体において、
前記命令群が、固定期間後に、前記ローカルセッション状態を削除するコードを更に備える機械読取可能媒体。
【請求項７１】
請求項６５に記載の機械読取可能媒体において、
前記命令群が、前記ネットワーク機能のうちの１つとの接続をサポートするコードと、固定期間、前記ネットワーク機能のうちの１つとの接続が無い場合、前記ローカルセッション状態を削除するコードとを更に備える機械読取可能媒体。
【請求項７２】
請求項６５に記載の機械読取可能媒体において、
前記命令群が、前記グローバルセッション状態への変更に応答して、前記ローカルセッション状態を削除するコードを更に備える機械読取可能媒体。
【国際調査報告】
2009540698.tif 000009
2009540698.tif 000010